(57)【要約】【課題】画像表示品質を大きく低下させることなく、維持パルス数を制限してプラズマディスプレイ装置の消費電力を抑制する。【解決手段】書込み期間と、輝度重みに輝度倍率を乗じた数の維持パルスを表示電極対に維持放電を発生させる維持期間とを有するサブフィールドを複数用いて画像を表示するプラズマディスプレイ装置であって、筐体内部の温度を検出する温度センサと、画像信号にもとづき画像のシーンチェンジを検出するシーンチェンジ検出部６１と、シーンチェンジ検出部６１がシーンチェンジを検出したときに一時的に輝度倍率を上昇させるとともに温度センサの検出した温度にもとづきその上限値を制限する一時倍率設定部６２とを備えた。【選択図】図５
2008209842.tif 000002
【特許請求の範囲】
【請求項１】
表示電極対を備えた放電セルを複数備えたプラズマディスプレイパネルと、装置内部の温度を検出する温度センサとを有し、前記放電セルで選択的に書込み放電を発生させる書込み期間と、輝度重みに輝度倍率を乗じた数の維持パルスを前記表示電極対に印加して書込み放電を発生させた放電セルで維持放電を発生させる維持期間とを有するサブフィールドを複数用いて画像を表示するプラズマディスプレイ装置であって、
画像信号にもとづき画像のシーンチェンジを検出するシーンチェンジ検出部と、
前記シーンチェンジ検出部がシーンチェンジを検出したときに一時的に前記輝度倍率を上昇させるとともに前記温度センサの検出した温度にもとづきその上限値を制限する一時倍率設定部とを備えたことを特徴とするプラズマディスプレイ装置。
【請求項２】
前記一時倍率設定部は、前記画像信号のＡＰＬにもとづき一時的に上昇させる輝度倍率の一時上昇値を算出する一時上昇値算出部と、前記温度センサの検出した温度にもとづき前記一時上昇値の上限値を制限する一時上昇値制限部と、前記シーンチェンジ検出部がシーンチェンジを検出した後、上限値を制限された一時上昇値を減衰させる一時上昇値減衰部とを備えたことを特徴とする請求項１に記載のプラズマディスプレイ装置。
【請求項３】
前記画像信号のＡＰＬにもとづき基本輝度倍率を設定する基本倍率設定部と、
前記基本倍率設定部で設定された基本輝度倍率と前記一時倍率設定部で設定された一時輝度倍率とにもとづき前記輝度倍率を算出する輝度倍率算出部とを備えたことを特徴とする請求項１または請求項２に記載のプラズマディスプレイ装置。
【発明の詳細な説明】
【技術分野】
【０００１】
本発明は、壁掛けテレビや大型モニター等に用いられるプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。
【０００３】
前面板には走査電極と維持電極とからなる表示電極対が前面ガラス基板上に互いに平行に複数対形成され、背面板にはデータ電極が背面ガラス基板上に平行に複数形成されている。そして、表示電極対とデータ電極とが立体交差するように前面板と背面板とが対向配置されて密封され、内部の放電空間には放電ガスが封入されている。ここで表示電極対とデータ電極との対向する部分に放電セルが形成される。
【０００４】
パネルを駆動する方法としては、サブフィールド法、すなわち、１フィールド期間を複数のサブフィールドに分割した上で、発光させるサブフィールドの組み合わせによって階調表示を行う方法が一般に用いられている。各サブフィールドは、初期化期間、書込み期間および維持期間を有し、初期化期間では初期化放電を発生し、続く書込み動作に必要な壁電荷を各電極上に形成する。書込み期間では、表示を行うべき放電セルで選択的に書込み放電を発生させ壁電荷を形成する。そして維持期間では、サブフィールド毎にあらかじめ決められた輝度重みに比例係数（以下、「輝度倍率」と称する）を乗じた数の維持パルスを表示電極対に交互に印加し、書込み放電を起こした放電セルで維持放電を発生させ発光させることにより画像表示を行う。
【０００５】
サブフィールド法を用いて画像表示輝度を向上させる技術の一つとして、維持期間に表示電極対に印加する維持パルスのパルス数を制御する技術が、例えば特許文献１に開示されている。特許文献１には、画像信号のＡＰＬにもとづき輝度倍率を設定し、各サブフィールドの維持パルス数をそれぞれ１倍、２倍、３倍、・・・と増加させて輝度を向上させる方法が記載されている。
【０００６】
また、特許文献２には、入力された画像信号のシーンチェンジを検出するシーンチェンジ検出手段と、シーンチェンジが検出された場合に輝度の制御を行う手段とを備え、輝度の変動が目立ちにくくするプラズマディスプレイ装置が開示されている。
【０００７】
一方、維持パルス数を増加させて輝度を上げるとプラズマディスプレイ装置の消費電力も増大し、筐体内部の温度が上昇する。そしてパネル温度や駆動回路の温度が上がりすぎると、保護回路が動作する等により画像表示動作を停止することがあった。そのため、パネルの温度や筐体内部の温度を検出し、温度が上がりすぎると維持パルス数を制限して温度を下げる方法が開示されている（例えば、特許文献３）。
【特許文献１】特開平８−２８６６３６号公報
【特許文献２】特開２０００−３３０５０５号公報
【特許文献３】特開２００４−３２５５６８号公報
【発明の開示】
【発明が解決しようとする課題】
【０００８】
しかしながら、単純に温度制限するために維持パルス数を制限すると、温度制限しているときの画像が実際の表示輝度よりも輝度の低い画像として視覚的に認識される等、温度制限しているときの画像表示品質が温度制限しないときの画像表示品質と比べて低下するという課題があった。
【０００９】
本発明は上記課題に鑑みなされたものであり、画像表示品質を大きく低下させることなく、維持パルス数を制限して消費電力を抑制することができるプラズマディスプレイ装置を提供することを目的とする。
【課題を解決するための手段】
【００１０】
本発明は、表示電極対を備えた放電セルを複数備えたパネルと、装置内部の温度を検出する温度センサとを有し、放電セルで選択的に書込み放電を発生させる書込み期間と、輝度重みに輝度倍率を乗じた数の維持パルスを表示電極対に印加して書込み放電を発生させた放電セルで維持放電を発生させる維持期間とを有するサブフィールドを複数用いて画像を表示するプラズマディスプレイ装置であって、画像信号にもとづき画像のシーンチェンジを検出するシーンチェンジ検出部と、シーンチェンジ検出部がシーンチェンジを検出したときに一時的に輝度倍率を上昇させるとともに温度センサの検出した温度にもとづきその上限値を制限する一時倍率設定部とを備えたことを特徴とする。この構成により、画像表示品質を大きく低下させることなく、維持パルス数を制限して消費電力を抑制することができるプラズマディスプレイ装置を提供することができる。
【００１１】
また本発明のプラズマディスプレイ装置の一時倍率設定部は、画像信号のＡＰＬにもとづき一時的に上昇させる輝度倍率の一時上昇値を算出する一時上昇値算出部と、温度センサの検出した温度にもとづき一時上昇値の上限値を制限する一時上昇値制限部と、シーンチェンジ検出部がシーンチェンジを検出した後、上限値を制限された一時上昇値を減衰させる一時上昇値減衰部とを備えた構成であってもよい。
【００１２】
また本発明のプラズマディスプレイ装置は、画像信号のＡＰＬにもとづき基本輝度倍率を設定する基本倍率設定部と、基本倍率設定部で設定された基本輝度倍率と一時倍率設定部で設定された一時輝度倍率とにもとづき輝度倍率を算出する輝度倍率算出部とを備えた構成であってもよい。
【発明の効果】
【００１３】
本発明によれば、画像表示品質を大きく低下させることなく、維持パルス数を制限して消費電力を抑制することができるプラズマディスプレイ装置を提供することが可能となる。
【発明を実施するための最良の形態】
【００１４】
（実施の形態）
図１は、本発明の実施の形態におけるパネル１０の構造を示す分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１５】
これら前面基板２１と背面基板３１とは、微小な放電空間をはさんで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１６】
なお、パネル１０の構造は上述したものに限られるわけではなく、例えばストライプ状の隔壁を備えたものであってもよい。
【００１７】
図２は、本発明の実施の形態におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１８】
次に、パネル１０を駆動するための駆動電圧波形とその動作について説明する。プラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。初期化期間では初期化放電を発生し、続く書込み放電に必要な壁電荷を各電極上に形成する。書込み期間では、発光させるべき放電セルで選択的に書込み放電を発生し壁電荷を形成する。そして維持期間では、サブフィールド毎にあらかじめ決められた輝度重みに輝度倍率を乗じた数の維持パルスを表示電極対２４に交互に印加して、書込み放電を発生した放電セルで維持放電を発生させて発光させる。
【００１９】
本実施の形態においては、１フィールドを１０のサブフィールド（第１ＳＦ、第２ＳＦ、・・・、第１０ＳＦ）に分割し、各サブフィールドはそれぞれ、例えば（１、２、３、６、１１、１８、３０、４４、６０、８０）の輝度重みを持つものとする。また、第１ＳＦの初期化期間では全ての放電セルで初期化動作を行い、第２ＳＦ〜第１０ＳＦの初期化期間では維持放電を発生した放電セルで選択的に初期化動作を行うものとする。しかし、本発明はサブフィールド数や各サブフィールドの輝度重みが上記の値に限定されるものではない。
【００２０】
図３は、本発明の実施の形態におけるパネル１０の各電極に印加する駆動電圧波形図である。図３には、２つのサブフィールドの駆動電圧波形を示しているが、他のサブフィールドにおける駆動電圧波形もほぼ同様である。
【００２１】
第１ＳＦの初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上に負の壁電圧が蓄積されるとともに、データ電極Ｄ１〜Ｄｍ上および維持電極ＳＵ１〜ＳＵｎ上には正の壁電圧が蓄積される。ここで、電極上の壁電圧とは電極を覆う誘電体層上、保護層上、蛍光体層上等に蓄積された壁電荷により生じる電圧を表す。
【００２２】
初期化期間後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上の負の壁電圧および維持電極ＳＵ１〜ＳＵｎ上の正の壁電圧が弱められ、データ電極Ｄ１〜Ｄｍ上の正の壁電圧は書込み動作に適した値に調整される。以上により、初期化動作が終了する。
【００２３】
なお、初期化期間の駆動電圧波形としては、図３の第２ＳＦの初期化期間に示したように、初期化期間後半部の電圧波形だけを印加してもよく、この場合には直前のサブフィールドの維持期間において維持放電を行った放電セルで選択的に初期化放電が発生する。
【００２４】
続く書込み期間では、維持電極ＳＵ１〜ＳＵｎに電圧Ｖｅ２を、走査電極ＳＣ１〜ＳＣｎに電圧Ｖｃを印加する。
【００２５】
次に、１行目の走査電極ＳＣ１に負の走査パルスＶａを印加するとともに、データ電極Ｄ１〜Ｄｍのうち１行目に発光させるべき放電セルのデータ電極Ｄｋ（ｋ＝１〜ｍ）に正の書込みパルスＶｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００２６】
このようにして、１行目に発光させるべき放電セルで書込み放電を起こして各電極上に壁電圧を蓄積する書込み動作が行われる。一方、書込みパルスＶｄを印加しなかったデータ電極Ｄ１〜Ｄｍと走査電極ＳＣ１との交差部の電圧は放電開始電圧を超えないので、書込み放電は発生しない。以上の書込み動作を走査電極ＳＣｎのｎ行目の放電セルに至るまで行い、書込み期間が終了する。
【００２７】
維持期間では、まず走査電極ＳＣ１〜ＳＣｎに維持パルスＶｓを印加するとともに維持電極ＳＵ１〜ＳＵｎに０（Ｖ）を印加する。すると書込み放電を起こした放電セルでは、走査電極ＳＣｉ上と維持電極ＳＵｉ上との電圧差が維持パルスＶｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００２８】
続いて、走査電極ＳＣ１〜ＳＣｎには０（Ｖ）を、維持電極ＳＵ１〜ＳＵｎには維持パルスＶｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００２９】
以降同様に、走査電極ＳＣ１〜ＳＣｎと維持電極ＳＵ１〜ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００３０】
そして、維持期間の最後には、走査電極ＳＣ１〜ＳＣｎと維持電極ＳＵ１〜ＳＵｎとの間にいわゆる細幅パルス状の電位差を与えて、データ電極Ｄｋ上の正の壁電圧を残したまま、走査電極ＳＣｉおよび維持電極ＳＵｉ上の壁電圧を消去している。こうして維持期間における維持動作が終了する。
【００３１】
なお、詳細は後述するが、維持期間における上記輝度倍率は画像信号の内容およびＡＰＬにもとづいて制御されている。さらにプラズマディスプレイ装置内部に設けられた温度センサの検出温度に依存して制御されている。
【００３２】
続くサブフィールドの動作は第１ＳＦの動作とほぼ同様であるため説明を省略する。
【００３３】
次に、パネル１０を駆動するための駆動回路とその動作について説明する。図４は、本発明の実施の形態におけるプラズマディスプレイ装置１００の回路ブロック図である。プラズマディスプレイ装置１００は、パネル１０、画像信号処理回路４１、データ電極駆動回路４２、走査電極駆動回路４３、維持電極駆動回路４４、タイミング発生回路４５、輝度倍率設定回路４６、温度センサ４７および各回路ブロックに必要な電源を供給する電源回路（図示せず）を備えている。
【００３４】
画像信号処理回路４１は、入力された画像信号をサブフィールド毎の発光・非発光を示す画像データに変換する。データ電極駆動回路４２は、サブフィールド毎の画像データを各データ電極Ｄ１〜Ｄｍに対応する信号に変換し各データ電極Ｄ１〜Ｄｍを駆動する。
【００３５】
温度センサ４７は、装置内部に設けられ、装置内部の温度を検出するために用いられるサーミスタ、熱電対等の一般に知られた感熱素子である。
【００３６】
輝度倍率設定回路４６は、画像信号のＡＰＬに依存して輝度倍率を設定するとともに、画像信号のシーンチェンジを検出し、シーンチェンジ毎に一時的に輝度倍率を上昇させる。そして温度センサ４７が検出した温度が高い場合には、一時的な輝度倍率の上昇を制限し、温度センサ４７が検出した温度がさらに高い場合には、輝度倍率そのものを制限する。
【００３７】
タイミング発生回路４５は、輝度倍率設定回路４６で設定された輝度倍率にもとづき各サブフィールドの維持期間における維持パルスの数を決定するとともに、水平同期信号、垂直同期信号をもとにして各回路ブロックの動作を制御する各種のタイミング信号を発生し、それぞれの回路ブロックへ供給する。走査電極駆動回路４３はタイミング信号にもとづいて各走査電極ＳＣ１〜ＳＣｎをそれぞれ駆動し、維持電極駆動回路４４はタイミング信号にもとづいて維持電極ＳＵ１〜ＳＵｎを駆動する。
【００３８】
図５は、本発明の実施の形態における輝度倍率設定回路４６の回路ブロック図である。輝度倍率設定回路４６は、ＡＰＬ算出部５１、基本倍率設定部５２、輝度倍率算出部５３、輝度倍率制限部５４、シーンチェンジ検出部６１、一時倍率設定部６２を備える。
【００３９】
ＡＰＬ算出部５１は、画像信号のＡＰＬ（平均輝度レベル）を算出する。具体的には、例えば画像信号の輝度値を１フィールド期間または１フレーム期間にわたって累積する等の一般に知られた手法を用いることによってＡＰＬを算出する。なお、輝度値を用いる以外にも、赤、青、緑の原色信号のそれぞれを１フィールド期間にわたって累積し、それらの平均値を求めることでＡＰＬを算出する方法を用いてもよい。
【００４０】
基本倍率設定部５２は、画像信号のＡＰＬにもとづき輝度倍率を設定し基本輝度倍率として出力する。図６は、本発明の実施の形態における基本倍率設定部５２の特性を示す図である。基本倍率設定部５２は、ＡＰＬが高い画像信号に対しては基本輝度倍率を小さく設定し、ＡＰＬが低い画像信号に対しては基本輝度倍率を大きく設定する。本実施の形態においては、ＡＰＬが１０％以下の画像信号に対しては、基本輝度倍率は「３．５」倍であり、ＡＰＬが増加するに従い基本輝度倍率を小さくなるように設定し、ＡＰＬが９０％以上の画像信号に対しては基本輝度倍率を「１」倍に設定している。このように、ＡＰＬにもとづき基本輝度倍率を設定することにより、明るい画像信号に対しては維持パルス数を制限してプラズマディスプレイ装置１００の消費電力を抑制している。また、ＡＰＬの低い暗い画像に対しては輝度倍率を大きく設定することにより表示輝度を向上させている。
【００４１】
シーンチェンジ検出部６１は、フレーム間の非類似度にもとづく方法等の一般に知られた手法を用いて、画像信号の変化にもとづき画像の切換わり、すなわちシーンチェンジを検出する。
【００４２】
一時倍率設定部６２は、一時上昇値算出部６５、一時上昇値制限部６６、一時上昇値減衰部６７を備えている。そしてシーンチェンジ検出部６１がシーンチェンジを検出したとき、一時的に輝度倍率を上昇させるための一時輝度倍率を設定する。加えて一時倍率設定部６２は、温度センサ４７の検出した温度にもとづき一時輝度倍率の上限値を制限する。
【００４３】
一時上昇値算出部６５は、一時的に上昇させる輝度倍率の大きさを示す一時上昇値をＡＰＬにもとづき算出する。図７は、本発明の実施の形態における一時倍率設定部６２の特性を示す図であり、温度による一時上昇値の制限がない場合の特性を示している。本実施の形態においては、ＡＰＬが低いときはＡＰＬが高くなるにつれて一時上昇値も大きくなるが、ＡＰＬが高くなりすぎると逆に一時上昇値は小さくなるように設定されている。これは、ＡＰＬが十分高い場合には、消費電力をそれ以上増加させないためである。一時上昇値算出部６５は、ＲＯＭを用いたデータ変換テーブル等で構成することができる。
【００４４】
一時上昇値制限部６６は、温度センサ４７の検出した温度にもとづき一時上昇値の上限を制限する。図８は、本発明の実施の形態における一時上昇値制限部６６の特性を示す図であり、温度センサ４７の検出した温度Ｔと一時上昇値の上限値Ｋ（Ｔ）を示す図である。温度センサ４７の検出した温度Ｔが温度Ｔ１１未満の場合には、一時上昇値の上限値Ｋ（Ｔ）は、上限値Ｋ１に制限される。そして、温度Ｔ１１よりも高い温度Ｔ１２以上の場合には、一時上昇値の上限値Ｋ（Ｔ）は、上限値Ｋ１よりも小さい上限値Ｋ２に制限されている。そして温度Ｔが温度Ｔ１１以上かつ温度Ｔ１２未満の場合には、一時上昇値の上限値Ｋ（Ｔ）は、温度Ｔが上昇するにつれて上限値Ｋ１から上限値Ｋ２に減少するように制限されている。
【００４５】
一時上昇値減衰部６７は、シーンチェンジ検出部６１がシーンチェンジを検出した直後は一時上昇値をそのまま出力し、その後、視覚的に気にならない速度で徐々に減衰させる。したがって、シーンチェンジ検出部６１がシーンチェンジを一定時間検出しない場合には、一時上昇値減衰部６７の出力である一時輝度倍率は「０」になる。
【００４６】
輝度倍率算出部５３は、基本倍率設定部５２が設定した基本輝度倍率と、一時倍率設定部６２が設定した一時輝度倍率とを加え合わせ、総合輝度倍率として出力する。
【００４７】
輝度倍率制限部５４は、温度センサ４７の検出した温度にもとづき、輝度倍率算出部５３から出力される総合輝度倍率の上限を制限して、輝度倍率として出力する。図９は、本発明の実施の形態における輝度倍率制限部５４の特性を示す図であり、温度センサ４７の検出した温度Ｔと総合輝度倍率の上限値Ｈ（Ｔ）を示す図である。温度Ｔが温度Ｔ２１未満の場合には総合輝度倍率の上限値Ｈ（Ｔ）は上限値Ｈ１に制限されている。温度Ｔ２１以上の場合には、温度が上昇するにつれて総合輝度倍率の上限値Ｈ（Ｔ）が低下するように制限される。
【００４８】
そして、温度Ｔ２１よりも高い温度Ｔ２２以上の場合には、それ以上温度が上昇しないように、フィードバック制御により総合輝度倍率の最大値が制限される。
【００４９】
次に、輝度倍率設定回路４６の動作を、例をあげて説明する。まず、温度センサ４７の検出した温度が低く、温度制限がかからないときの動作について説明する。
【００５０】
図１０は、本発明の実施の形態における輝度倍率設定回路４６の動作を説明するための図であり、図１０（ａ）はＡＰＬ算出部５１から出力されるＡＰＬ、図１０（ｂ）は基本倍率設定部５２から出力される基本輝度倍率、図１０（ｃ）の破線は一時上昇値算出部６５から出力される一時上昇値、実線は一時上昇値減衰部６７から出力される一時輝度倍率、図１０（ｄ）は輝度倍率算出部５３から出力される総合輝度倍率をそれぞれ示す。なお、温度センサ４７の出力が低く温度制限がかからないときは、一時上昇値制限部６６および輝度倍率制限部５４は、入力した信号をそのまま出力するので、図１０（ｄ）は輝度倍率設定回路４６から出力される輝度倍率に等しい。
【００５１】
画像信号が時間とともに変化して、図１０（ａ）に示すようにＡＰＬが変化したとする。時刻ｔ１０、ｔ２０、ｔ３０にＡＰＬがステップ上に変化しているが、これはシーンチェンジがあったためである。基本輝度倍率とＡＰＬとは、図６に示したように逆の相関をもって変化するので、このときの基本輝度倍率は図１０（ｂ）に示すように変化する。
【００５２】
また、一時上昇値とＡＰＬとは、図７に示したような関係にあるので、このときの一時上昇値は図１０（ｃ）の破線に示すように変化する。そして、一時上昇値減衰部６７は、図１０（ｃ）の実線に示すように、時刻ｔ１０にシーンチェンジ検出部６１がシーンチェンジを検出した直後は一時上昇値をそのまま出力し、その後、視覚的に気にならない速度で徐々に減衰させ、時刻ｔ１１にはその値が「０」となる。また、時刻ｔ２０にシーンチェンジ検出部６１がシーンチェンジを検出した直後は一時上昇値をそのまま出力し、その後、視覚的に気にならない速度で徐々に減衰させる。そしてその値が「０」となる前の時刻ｔ３０にシーンチェンジを検出すると、その直後は一時上昇値をそのまま出力し、時刻ｔ３１にはその値が「０」となる。なお、ここでは一時上昇値を一定の速度で減衰させるものとして説明したが、指数関数的に減衰させてもよい。
【００５３】
そして、輝度倍率算出部５３は、図１０（ｂ）に示した基本輝度倍率と、図１０（ｃ）に実線で示した一時輝度倍率とを加え合わせ、図１０（ｄ）に示す総合輝度倍率として出力する。
【００５４】
このように基本輝度倍率はＡＰＬにより決まるが、それに加えてシーンチェンジがあると一時輝度倍率が加算されて輝度倍率が一時的に上昇するので、シーンが変わる毎に明るい画像表示を感じることができ、視覚的には輝度の高い迫力のある画像として認識される。その後は視覚的に気にならない速度で徐々に輝度が低下するので、シーンチェンジに伴う電力の増加も一時的なものである。
【００５５】
次に、温度センサ４７の検出した温度Ｔが温度Ｔ１１より高く、一時上昇値制限部６６が一時上昇値の上限を制限するときの動作について説明する。
【００５６】
図１１は、本発明の実施の形態における一時上昇値制限部６６の動作を説明するための図である。ただし図１１（ａ）は図１０（ｃ）と同じ図であり、温度Ｔが温度Ｔ１１より低い場合の一時上昇値および一時輝度倍率をそれぞれ破線および実線で示している。そして図１１（ｂ）は温度Ｔが温度Ｔ１１より高く温度Ｔ１２より低い場合の一時上昇値および一時輝度倍率を示し、図１１（ｃ）は温度Ｔが温度Ｔ１２より高い場合の一時上昇値および一時輝度倍率を示している。
【００５７】
温度Ｔが温度Ｔ１１より低い場合には、一時上昇値制限部６６は一時上昇値が上限値Ｋ１を超えないように制限する。しかし本実施の形態においては、上限値Ｋ１は一時上昇値の最大値に等しい値に設定しているので、実質上は制限が行われず、図１１（ａ）に示したように、一時上昇値制限部６６は入力した一時上昇値をそのまま出力する。
【００５８】
温度Ｔが温度Ｔ１１より高くなると、図１１（ｂ）に示したように、一時上昇値制限部６６は一時上昇値が上限値Ｋ（Ｔ）を超えないように制限する。一時上昇値が制限されると一時輝度倍率も制限されるので、シーンチェンジに伴う一時的な電力も制限される。そして温度Ｔが上昇するにつれて一時上昇値の上限値Ｋ（Ｔ）も低下するので、シーンチェンジに伴う一時的な電力も低下する。
【００５９】
温度Ｔが温度Ｔ１２より高くなると、一時上昇値の上限値Ｋ（Ｔ）はある一定の上限値Ｋ２に等しくなる。ここで、上限値Ｋ２を「０」でない有限の値に設定しておくと、一時輝度倍率も「０」にはならず有限の値をとるので、温度が高く電力を制限している画像であっても、実際の表示輝度よりも輝度の低い画像として視覚的に認識される等の画像表示品質の低下を緩和することができる。
【００６０】
なお、本実施の形態においては、温度Ｔ１１＝５０℃、温度Ｔ１２＝７０℃、上限値Ｋ１＝１倍、上限値Ｋ２＝０．２倍としている。しかし、本発明はこの数値に限定されるものではなく、パネルの特性、プラズマディスプレイ装置の仕様等に応じて適宜設定することが望ましい。
【００６１】
次に、温度センサ４７の検出した温度Ｔが温度Ｔ１２より高く、輝度倍率制限部５４が総合輝度倍率の上限を制限するときの動作について説明する。
【００６２】
図１２は、本発明の実施の形態における輝度倍率制限部５４の動作を説明するための図である。ただし、図１２（ａ）は図１０（ｄ）と同じ図であり、温度Ｔが温度Ｔ２１より低い場合の輝度倍率を示している。そして図１２（ｂ）は温度Ｔが温度Ｔ２１より高く温度Ｔ２２より低い場合の輝度倍率を示し、図１２（ｃ）は温度Ｔが温度Ｔ２２より高い場合の輝度倍率を示している。
【００６３】
温度Ｔが温度Ｔ２１より低い場合には、輝度倍率制限部５４は輝度倍率が上限値Ｈ１を超えないように制限する。しかし、本実施の形態においては、上限値Ｈ１は総合輝度倍率の最大値に等しい値に設定しているので、実質上は制限が行われず、図１２（ａ）に示したように、輝度倍率制限部５４は入力した総合輝度倍率をそのまま出力する。
【００６４】
温度Ｔが温度Ｔ２１より高くなると、図１２（ｂ）に示したように、輝度倍率制限部５４は輝度倍率が上限値Ｈ（Ｔ）を超えないように制限する。輝度倍率が制限されると維持パルス数が制限されるので画像表示に伴う電力が制限され、筐体内部の温度上昇が抑制される。
【００６５】
温度Ｔが温度Ｔ２２より高くなると、輝度倍率制限部５４は総合輝度倍率の上限値Ｈを所定の値だけ減ずる。そして所定の時間の後、温度Ｔが低下しない場合には上限値Ｈをさらに所定の値だけ減ずる。温度Ｔが温度Ｔ２２より高く、かつその温度が低下しない間はこの動作を繰り返す。そして温度Ｔが温度Ｔ２２未満になれば、総合輝度倍率の上限値Ｈを所定の値だけ増加させる。そして総合輝度倍率の上限値Ｈが図９に示した上限値Ｈ（Ｔ）に戻るまでこの動作を繰り返す。このようにして輝度倍率制限部５４は、フィードバック制御により輝度倍率の最大値を制限し、筐体内部の温度を温度Ｔ２２よりも高くならないように制御する。
【００６６】
なお、本実施の形態においては、温度Ｔ２１＝５０℃、温度Ｔ２２＝７０℃、上限値Ｈ１＝４．５倍としている。しかし、本発明はこの数値に限定されるものではなく、パネルの特性、プラズマディスプレイ装置の仕様等に応じて適宜設定することが望ましい。
【００６７】
本実施の形態においては、輝度倍率制限部５４を輝度倍率算出部５３の出力である総合輝度倍率を制限するものとして説明したが、本発明はこれに限定されるものではなく、例えば基本倍率設定部５２の出力である基本輝度倍率を制限する構成であってもよい。
【００６８】
また本実施の形態においては、一時上昇値制限部６６を一時上昇値算出部６５の出力である一時上昇値を制限するものとして説明したが、本発明はこれに限定されるものではなく、例えば一時上昇値減衰部６７の出力を制限する構成であってもよい。
【００６９】
さらに、本実施の形態において用いた具体的な各数値は、単に一例をあげたに過ぎず、パネルの特性やプラズマディスプレイ装置の仕様等に合わせて、適宜最適な値に設定することが望ましい。
【産業上の利用可能性】
【００７０】
本発明によれば、画像表示品質を大きく低下させることなく維持パルス数を制限して消費電力を抑制することができるので、プラズマディスプレイ装置として有用である。
【図面の簡単な説明】
【００７１】
【図１】本発明の実施の形態におけるパネルの構造を示す分解斜視図
【図２】同パネルの電極配列図
【図３】同パネルの各電極に印加する駆動電圧波形図
【図４】本発明の実施の形態におけるプラズマディスプレイ装置の回路ブロック図
【図５】本発明の実施の形態における輝度倍率設定回路の回路ブロック図
【図６】本発明の実施の形態における基本倍率設定部の特性を示す図
【図７】本発明の実施の形態における一時倍率設定部の特性を示す図
【図８】本発明の実施の形態における一時上昇値制限部の特性を示す図
【図９】本発明の実施の形態における輝度倍率制限部の特性を示す図
【図１０】本発明の実施の形態における輝度倍率設定回路の動作を説明するための図
【図１１】本発明の実施の形態における一時上昇値制限部の動作を説明するための図
【図１２】本発明の実施の形態における輝度倍率制限部の動作を説明するための図
【符号の説明】
【００７２】
１０    パネル
２２    走査電極
２３    維持電極
２４    表示電極対
３２    データ電極
４１    画像信号処理回路
４２    データ電極駆動回路
４３    走査電極駆動回路
４４    維持電極駆動回路
４５    タイミング発生回路
４６    輝度倍率設定回路
４７    温度センサ
５１    ＡＰＬ算出部
５２    基本倍率設定部
５３    輝度倍率算出部
５４    輝度倍率制限部
６１    シーンチェンジ検出部
６２    一時倍率設定部
６５    一時上昇値算出部
６６    一時上昇値制限部
６７    一時上昇値減衰部
１００    プラズマディスプレイ装置
【図１】
2008209842.tif 000003
【図２】
2008209842.tif 000004
【図３】
2008209842.tif 000005
【図４】
2008209842.tif 000006
【図５】
2008209842.tif 000007
【図６】
2008209842.tif 000008
【図７】
2008209842.tif 000009
【図８】
2008209842.tif 000010
【図９】
2008209842.tif 000011
【図１０】
2008209842.tif 000012
【図１１】
2008209842.tif 000013
【図１２】
2008209842.tif 000014